(57)【要約】【課題】多く利用される定型的な機能の利便性を高めることできる画像形成装置を提供する。【解決手段】原稿載置板への原稿の載置を検知する載置検知センサー３４と、原稿給送部３の開閉を検知する開閉検知センサー２３と、ユーザー認証部７１と、原稿の載置場所である原稿載置板とコンタクトガラスとにそれぞれ紐づけられた紐づけ動作がユーザー毎に登録された紐づけ動作情報９２と、ユーザー認証部７１によって認証されたユーザーの紐づけ動作情報９２を参照することで、載置検知センサー３４によって原稿載置板への原稿の載置が検知された場合、原稿載置板への原稿載置に紐づけられた紐づけ動作を実行し、開閉検知センサー２３によって圧板の開閉が検知された場合、コンタクトガラスへの原稿載置に紐づけられた紐づけ動作を実行する紐づけ動作実行部７２とを備えている。【選択図】図２
2019047196.tif 000002
【特許請求の範囲】
【請求項１】
原稿載置板に載置された原稿を１枚ずつ給送する原稿給送部と、前記原稿給送部から給送される原稿と、コンタクトガラスに載置された原稿とを読み取る原稿読取部とを有し、前記原稿読取部によって読み取った画像に対して実行する複数の機能を備えた画像形成装置であって、
前記原稿載置板への原稿の載置を検知する載置検知センサーと、
前記コンタクトガラスを開閉する圧板の開閉を検知する開閉検知センサーと、
ユーザーを認証するユーザー認証部と、
原稿の載置場所である前記原稿載置板と前記コンタクトガラスとにそれぞれ紐づけられた紐づけ動作がユーザー毎に登録された紐づけ動作情報が記憶された記憶部と、
前記ユーザー認証部によって認証されたユーザーの前記紐づけ動作情報を参照することで、前記載置検知センサーによって前記原稿載置板への原稿の載置が検知された場合、前記原稿載置板への原稿載置に紐づけられた前記紐づけ動作を実行し、前記開閉検知センサーによって前記圧板の開閉が検知された場合、前記コンタクトガラスへの原稿載置に紐づけられた前記紐づけ動作を実行する紐づけ動作実行部と、を具備することを特徴とする画像形成装置。
【請求項２】
前記紐づけ動作情報には、１つの載置場所に対して複数の前記紐づけ動作が紐づけられており、
前記紐づけ動作実行部は、前記紐づけ動作の一覧を案内画面として表示部に表示させ、前記案内画面において、前記紐づけ動作の切り換えを受け付けることを特徴とする請求項１記載の画像形成装置。
【請求項３】
前記紐づけ動作情報において、１つの載置場所に対して紐づけられた複数の前記紐づけ動作には、優先順位が設定されており、
前記紐づけ動作実行部は、優先順位を前記紐づけ動作の実行頻度に応じて入れ替えることを特徴とする請求項２記載の画像形成装置。
【発明の詳細な説明】
【技術分野】
【０００１】
本発明は、原稿載置板に載置された原稿を１枚ずつ給送する原稿給送部と、前記原稿送部から給送される原稿、およびコンタクトガラスに載置された原稿を読み取る原稿読取部とを備えた画像形成装置に関する。
【背景技術】
【０００２】
従来、原稿を読み取る原稿読取部を備えた画像形成装置として電子複写機、ファクシミリ等の読み取った画像データを処理する複数の異なる機能を備えた複合機（ＭＦＰ：Multifunction Peripheral）が知られている。このような画像形成装置では、機能の選択や各種設定の入力を受け付け、選択された機能を入力された設定で実行する。
【０００３】
近年では、機能の選択や各種設定の入力を軽減して、作業効率を向上させる技術が提案されている。例えば、特許文献１、２では、原稿をコンタクトガラス上に載置した後、原稿を背面から押さえる圧板の開閉動作に応答して自動的にコピー動作を開始することで、コピー作業効率を向上させている。また、特許文献３では、携帯端末から使用したい機能の設定を行い、ユーザー認証することにより携帯端末で設定した状態に画像形成装置の機能設定を行わせることで、使用効率を向上させている。
【先行技術文献】
【特許文献】
【０００４】
【特許文献１】特開平０５−６３９０４号公報
【特許文献２】特開２００１−１９７２５１号公報
【特許文献３】特開２００８−２２８０３６号公報
【発明の概要】
【発明が解決しようとする課題】
【０００５】
しかしながら、画像形成装置では、コンタクトガラスに載置した原稿のみではなく、原稿を１枚ずつ原稿読取装置に給送する原稿給送装置を用いてコピーする場合や、コピー以外にもスキャナとしてデータをストレージデバイス上に保存するような場合も存在する。この場合、特許文献１、２では、使用したい機能の異なるユーザーに対して、作業性の向上を図ることは困難である。
【０００６】
また、多くのユーザーが画像形成装置を使用するときには、同じ設定で同じ作業を行うことが多く、特許文献３のように携帯端末に設定を入力するような作業も時間のロスとなってしまう。
【０００７】
本発明は、上記問題点を鑑みてなされたものであり、その目的とするところは、多く利用される定型的な機能の利便性を高めることできる画像形成装置を提供することを目的とする。
【課題を解決するための手段】
【０００８】
本発明の画像形成装置は、原稿載置板に載置された原稿を１枚ずつ給送する原稿給送部と、前記原稿給送部から給送される原稿と、コンタクトガラスに載置された原稿とを読み取る原稿読取部とを有し、前記原稿読取部によって読み取った画像に対して実行する複数の機能を備えた画像形成装置であって、前記原稿載置板への原稿の載置を検知する載置検知センサーと、前記コンタクトガラスを開閉する圧板の開閉を検知する開閉検知センサーと、ユーザーを認証するユーザー認証部と、原稿の載置場所である前記原稿載置板と前記コンタクトガラスとにそれぞれ紐づけられた紐づけ動作がユーザー毎に登録された紐づけ動作情報が記憶された記憶部と、前記ユーザー認証部によって認証されたユーザーの前記紐づけ動作情報を参照することで、前記載置検知センサーによって前記原稿載置板への原稿の載置が検知された場合、前記原稿載置板への原稿載置に紐づけられた前記紐づけ動作を実行し、前記開閉検知センサーによって前記圧板の開閉が検知された場合、前記コンタクトガラスへの原稿載置に紐づけられた前記紐づけ動作を実行する紐づけ動作実行部と、を具備することを特徴とする。
【発明の効果】
【０００９】
本発明によれば、ユーザーがコンタクトガラスに原稿を載置し、圧板を閉じるだけで、コンタクトガラスへの原稿載置に対応する紐づけ動作が実行されると共に、ユーザーが原稿載置板に原稿を載置するだけで、原稿載置板３１への原稿載置に対応する紐づけ動作が実行される。従って。多く利用される定型的な機能を紐づけ動作として設定しておくことで、多く利用される定型的な機能の利便性を高めることできるという効果を奏する。
【図面の簡単な説明】
【００１０】
【図１】本発明に係る画像形成装置の実施の形態の内部構成を示す断面模式図である。
【図２】本発明に係る画像形成装置の実施の形態の概略構成を示すブロック図である。
【図３】図２に示す紐づけ動作情報例を示す図である。
【図４】図２に示す紐づけ動作実行部による紐づけ動作を説明するフローチャートである。
【図５】図１に示す液晶表示部に表示される案内画面列を示す図である。
【発明を実施するための形態】
【００１１】
次に、本発明の実施の形態を、図面を参照して具体的に説明する。
本実施の形態の画像形成装置１は、複合機（ＭＦＰ：Multifunction Peripheral）であり、原稿の画像を読み取るスキャナー機能と共に、読み取った画像を記録紙に記録する複写機としてのコピー機能と、読み取った画像をファクシミリ送信するファクシミリ装置としてのＦＡＸ機能と、読み取った画像をデータ送信する通信装置としての送信機能と、読み取った画像を蓄積する蓄積装置としての蓄積機能等を備えている。
【００１２】
画像形成装置１は、図１を参照すると、原稿読取部２と、原稿給送部３と、本体部４と、操作部５と、カードリーダー６とを備えている。原稿読取部２は、本体部４の上部に配設され、原稿給送部３は、原稿読取部２の上部に配設されている。操作部５とカードリーダー６とは、画像形成装置１の手前側に配設されている。
【００１３】
画像形成装置１の手前側には、画像形成装置１の設定や動作指示を行う操作部５が配設されている。操作部５は、液晶表示部５１、操作ボタン５２が設けられている。ユーザーは操作部５を操作して指示を入力することで、画像形成装置１の各種の設定を行い、画像形成等の各種機能を実行させる。液晶表示部５１は、画像形成装置１の状態を示したり、画像形成状況や印刷部数を表示したり、タッチパネルとして、両面印刷や白黒反転等の機能や倍率設定、濃度設定など各種設定を行えるようになっている。操作ボタン５２としては、画像形成を開始するようにユーザーが指示するスタートボタン、画像形成を中止する際等に使用するストップ／クリアボタン、画像形成装置１の各種設定をデフォルト状態にする際に使用するリセットボタン、テンキー等が設けられている。
【００１４】
原稿読取部２は、スキャナー２０と、コンタクトガラス２１と、スリットガラス２２とを備えている。スキャナー２０は、光源と、主走査方向に配置されたＣＭＯＳ（Complementary Metal Oxide Semiconductor）ラインセンサー等からなる受光部と、光源及び受光部を収納するキャリッジとを備えている。スキャナー２０は、原稿給送部３による原稿の搬送方向（副走査方向）に移動可能に構成されている。コンタクトガラス２１は、ガラス等の矩形状の透明部材により構成され、原稿読取部２の上面に配置された原稿台である。スリットガラス２２は、原稿給送部３による原稿の搬送方向と直交する方向に形成されている。
【００１５】
原稿給送部３は、原稿載置板３１と、原稿搬送機構３２と、原稿排出部３３と、載置検知センサー３４とを備えている。原稿載置板３１に載置された原稿は、原稿搬送機構３２によって、１枚ずつ順に繰り出されてスリットガラス２２に対向する位置へ搬送され、その後、原稿排出部３３に排出される。載置検知センサー３４は、原稿載置板３１への原稿の載置を検知するセンサーであり、例えば、反射型光学センサーで構成される。本実施の形態において載置検知センサー３４は、原稿載置板３１に原稿が載置されるとオンされる。
【００１６】
原稿給送部３と原稿読取部２とは、画像形成装置１の奥側でヒンジ機構によって接続されており、原稿給送部３を手前側から上方に開くことで、原稿読取部２上面のコンタクトガラス２１を開放可能な構成になっている。そして、原稿給送部３におけるコンタクトガラス２１との対向面は、白色の原稿押さえ面となっており、原稿給送部３のコンタクトガラス２１を開閉する圧板として機能する。
【００１７】
原稿読取部２には、原稿給送部３（圧板）の開閉を検出する開閉検出手段として、開閉検知センサー２３が設けられている。開閉検知センサー２３は、例えば、コンタクトガラス２１よりも上方に突起が突出したマイクロスイッチで構成される。本実施の形態において開閉検知センサー２３は、原稿給送部３（圧板）の開かれるとオンされ、原稿給送部３（圧板）が閉じられるとオフされる。
【００１８】
原稿載置板３１に原稿が載置されていない状態や、原稿給送部３（圧板）が開いた開状態で、操作部５の操作ボタン５２によって原稿の読み取りが指示されると、コンタクトガラス２１に載置された原稿が読み取られる。コンタクトガラス２１に載置された原稿を読み取る場合には、スキャナー２０は、コンタクトガラス２１に対向する位置に移動され、コンタクトガラス２１に載置された原稿を主走査方向と直交する副走査方向に走査しながら読み取って画像データを取得し、取得した画像データを本体部４に出力する。
【００１９】
原稿載置板３１に原稿が載置された状態で、操作部５の操作ボタン５２によって原稿の読み取りが指示されると、原稿給送部３により搬送された原稿が読み取られる。原稿給送部３により搬送された原稿を読み取る場合には、スキャナー２０は、スリットガラス２２と対向する位置に移動され、スリットガラス２２を介し、原稿給送部３による原稿の搬送動作と同期して原稿を読み取って画像データを取得し、取得した画像データを本体部４に出力する。
【００２０】
本体部４は、給紙部４１と、印刷部４２とを備えている。給紙部４１は、複数枚の記録紙を収納し、記録紙を１枚ずつ繰り出して印刷部４２に供給する。印刷部４２は、例えば、原稿画像に基づき感光体ドラムの表面に潜像を形成し、トナーによってその潜像をトナー像とする画像形成を行い、その感光体ドラムから記録紙にトナー像を転写させ、そのトナー像を記録紙に定着させて排紙する。
【００２１】
カードリーダー６は、ユーザーが所有する社員証等のＩＤカードからユーザーＩＤを読み取るＩＤ読み取り部として機能する。
【００２２】
図２を参照すると、上述の原稿読取部２、原稿給送部３、本体部４、操作部５及びカードリーダー６は、制御部７に接続され、制御部７によって動作制御される。また、制御部７には、画像処理部８と、記憶部９と、ファクシミリ部１０と、通信部１１とが接続されている。
【００２３】
画像処理部８は、ＣＰＵ（Central Processing Unit）、ＲＯＭ（Read Only Memory）、ＲＡＭ（Random Access Memory）等を備えたマイクロコンピューター等の演算処理回路であり、例えば、拡大縮小処理、濃度調整処理、階調調整処理等の画像処理に係る各種ジョブを実行する。
【００２４】
記憶部９は、半導体メモリやＨＤＤ（Hard Disk Drive）等の記憶手段であり、原稿読取部２によって原稿を読み取ることで取得された画像データが一時記憶されると共に、各種の管理情報が記憶されている。また、原稿読取部２によって原稿を読み取ることで取得された画像データを蓄積する領域も確保されている。
【００２５】
さらに、記憶部９には、ユーザーＩＤとユーザーとが対応づけられたユーザー情報９１が記憶されている。また、記憶部９には、図３に示すように、原稿の「載置場所」（コンタクトガラス２１もしくは原稿載置板３１）に紐づけられた「優先順位」と「実行する機能」と「機能設定」とからなる紐づけ動作がユーザー毎に登録された紐づけ動作情報９２とが記憶されている。なお、紐づけ動作情報９２には、１つの「載置場所」に対し、複数個（図３に示す例では２個）の「実行する機能」が「優先順位」をつけて登録可能になっている。また、紐づけ動作情報９２は、ユーザーや管理者が事前に登録しておくようにしても良く、使用履歴を参照してよく使用している機能及び設定をユーザーが選択することで登録されるようにしても良い。
【００２６】
ファクシミリ部１０は、原稿読取部２によって読み取られた画像データからファクシミリ信号を生成し、生成したファクシミリ信号を電話回線網等のネットワーク１２を介して送信するファクシミリ送信機能を備えている。
【００２７】
通信部１１は、原稿読取部２によって読み取られた画像データをＬＡＮ等のネットワーク１３を介して送信するデータ送信機能を備えている。
【００２８】
制御部７は、ＣＰＵ（Central Processing Unit）、ＲＯＭ（Read Only Memory）、ＲＡＭ（Random Access Memory）等を備えたマイクロコンピューター等の情報処理部である。ＲＯＭには画像形成装置１の動作制御を行うための制御プログラムが記憶されている。制御部７は、ＲＯＭに記憶されている制御プログラムを読み出し、制御プログラムをＲＡＭに展開させることで、操作部５等から入力された所定の指示情報に応じて装置全体の制御を行う。
【００２９】
また、制御部７は、ユーザー認証部７１と、紐づけ動作実行部７２として機能する。
【００３０】
ユーザー認証部７１は、カードリーダー６によって読み取ったユーザーＩＤに基づいてユーザー情報９１を参照することでユーザーを認証する。なお、ユーザーの認証は、操作部５からのキー入力や、指紋等の生体情報で行うようにしても良い。
【００３１】
次に、紐づけ動作実行部７２による紐づけ動作について図４及び図５を参照して詳細に説明する。
制御部７は、カードリーダー６によってユーザーＩＤが読み取られると、ユーザー認証部７１として機能し、ユーザーＩＤに基づいてユーザー情報９１を参照することでユーザーを認証する（ステップＳ１０１）。
【００３２】
次に、制御部７は、紐づけ動作情報９２を参照することで、認証したユーザーに対応付けられた紐づけ動作が登録されているか否かを判断する（ステップＳ１０２）。
【００３３】
ステップＳ１０２で紐づけ動作が登録されていない場合、制御部７は、操作部５によって機能設定や実行指示を受け付ける通常動作モードに設定する（ステップＳ１０３）。これにより、紐づけ動作は実行されることなく終了されることになる。
【００３４】
ステップＳ１０２で紐づけ動作が登録されていない場合、制御部７は、紐づけ動作モードに設定し（ステップＳ１０４）、紐づけ動作実行部７２として機能する。
【００３５】
紐づけ動作実行部７２は、図５に示すような案内画面１００を液晶表示部５１に表示させる（ステップＳ１０５）。案内画面１００には、認証したユーザーに対応づけて紐づけ動作情報９２に登録されている紐づけ動作の一覧と、紐づけ動作モードの解除を受け付ける設定解除キー１０１とがレイアウトされている。
【００３６】
次に、紐づけ動作実行部７２は、設定解除キー１０１の操作と（ステップＳ１０６）、
開閉検知センサー２３のオン、すなわち原稿給送部３（圧板）の開成と（ステップＳ１０７）、載置検知センサー３４のオン、すなわち原稿載置板３１への原稿載置と（ステップＳ１０８）、紐づけ切り換え操作と（ステップＳ１０９）とを監視する。
【００３７】
ステップＳ１０６で設定解除キー１０１の操作を受け付けると、紐づけ動作実行部７２は、ステップＳ１０３に至って通常動作モードに設定することで、紐づけ動作モードを解除する。なお、クリアキーやストップキー等の既存のキーを設定解除キー１０１として機能させるようにしても良い。
【００３８】
ステップＳ１０７で開閉検知センサー２３がオンされて原稿給送部３（圧板）の開成が検知されると、紐づけ動作実行部７２は、開閉検知センサー２３のオフ、すなわち原稿給送部３（圧板）の閉成を監視する（ステップＳ１１０）。そして、ステップＳ１１０開閉検知センサー２３がオフされて原稿給送部３（圧板）の閉成が検知されると、紐づけ動作実行部７２は、コンタクトガラス２１への原稿載置に対応する紐づけ動作を実行し（ステップＳ１１１）、動作を終了する。
【００３９】
図５に示す案内画面１００において、コンタクトガラス２１への原稿載置に対応する紐づけ動作は、「実行する機能」として「コピー」が、「機能設定」として印刷部数：１０部がそれぞれ設定され、反転表示によってユーザーに報知されている。従って、ユーザーがコンタクトガラス２１に原稿を載置し、原稿給送部３（圧板）を閉じるだけで、ステップＳ１１１では、コンタクトガラス２１に載置された原稿の１０部のコピーが実行される。
【００４０】
ステップＳ１０８で載置検知センサー３４がオンされて原稿載置板３１への原稿載置が検知されると、紐づけ動作実行部７２は、ステップＳ１１１に至って原稿載置板３１への原稿載置に対応する紐づけ動作を実行し、動作を終了する。
【００４１】
図５に示す案内画面１００において、原稿載置板３１への原稿載置に対応する紐づけ動作は、「実行する機能」として「蓄積」が、「機能設定」として蓄積場所として記憶部９に設定されているボックスＡがそれぞれ設定され、反転表示によってユーザーに報知されている。従って、ユーザーが原稿載置板３１に原稿を載置するだけで、ステップＳ１１２では、コンタクトガラス２１に載置された原稿の画像データがボックスＡに蓄積される。
【００４２】
ステップＳ１０９で紐づけ切り換え操作を受け付けると、紐づけ動作実行部７２は、ステップＳ１１１、１１３で実行する紐づけ動作を切り換え、ステップＳ１０６に戻る。
【００４３】
紐づけ動作実行部７２は、ステップＳ１０４の紐づけ動作モードの設定時において、図５（ａ）に示すように、ステップＳ１１１、１１３で実行する紐づけ動作を優先順位の最も高いものに設定する。
【００４４】
図５（ａ）に矢印Ｘで示すように、案内画面１００の「優先順位」の欄をタッチすることで、図５（ｂ）に示すように、ステップＳ１１１、１１３で実行する紐づけ動作が切り換えられる。図５（ｂ）では、コンタクトガラス２１への原稿載置に対応する紐づけ動作が「優先順位」２に切り換えられた例が示されている。
【００４５】
また、図５（ａ）に矢印Ｙ、Ｚで示すように、「実行する機能」、「機能設定」の欄をタッチすることで「実行する機能」と「機能設定」とを変更することも可能になっている。図５（ｂ）では、原稿載置板３１への原稿載置に対応する紐づけ動作が「コピー」、「拡大１５０％」に切り換えられた例が示されている。
【００４６】
なお、本実施の形態では、紐づけ動作が登録されていないユーザーは通常動作モードに設定されるように構成したが、未登録ユーザー用の紐づけ動作を設定し、未登録ユーザーに対しても紐づけ動作を実行するようにしても良い。
【００４７】
また、紐づけ動作実行部７２は、紐づけ動作情報９２の「優先順位」を紐づけ動作の実行頻度に応じて入れ替えるようにしても良い。この場合、実行した紐づけ動作の履歴を蓄積し、実行回数が多いものほど「優先順位」を高く設定する。
【００４８】
以上説明したように、本実施の形態によれば、原稿載置板３１に載置された原稿を１枚ずつ給送する原稿給送部３と、原稿給送部３から給送される原稿と、コンタクトガラス２１に載置された原稿とを読み取る原稿読取部２を有し、原稿読取部２によって読み取った画像に対して実行する複数の機能を備えた画像形成装置１であって、原稿載置板３１への原稿の載置を検知する載置検知センサー３４と、コンタクトガラス２１を開閉する圧板（原稿給送部３）の開閉を検知する開閉検知センサー２３と、ユーザーを認証するユーザー認証部７１と、原稿の載置場所である原稿載置板３１とコンタクトガラス２１とにそれぞれ紐づけられた紐づけ動作がユーザー毎に登録された紐づけ動作情報９２が記憶された記憶部９と、ユーザー認証部７１によって認証されたユーザーの紐づけ動作情報９２を参照することで、載置検知センサー３４によって原稿載置板３１への原稿の載置が検知された場合、原稿載置板３１への原稿載置に紐づけられた紐づけ動作を実行し、開閉検知センサー２３によって圧板の開閉が検知された場合、コンタクトガラス２１への原稿載置に紐づけられた紐づけ動作を実行する紐づけ動作実行部７２とを備えている。
この構成により、ユーザーがコンタクトガラス２１に原稿を載置し、原稿給送部３（圧板）を閉じるだけで、コンタクトガラス２１への原稿載置に対応する紐づけ動作が実行されると共に、ユーザーが原稿載置板３１に原稿を載置するだけで、原稿載置板３１への原稿載置に対応する紐づけ動作が実行される。従って。多く利用される定型的な機能を紐づけ動作として設定しておくことで、多く利用される定型的な機能の利便性を高めることできる。
【００４９】
さらに、本実施の形態において、紐づけ動作情報９２には、１つの載置場所に対して複数の紐づけ動作が紐づけられており、紐づけ動作実行部７２は、紐づけ動作の一覧を案内画面１００として液晶表示部５１に表示させ、案内画面１００において、紐づけ動作の切り換えを受け付ける。
この構成により、ユーザーが実行する紐づけ動作を簡単に選択することができ、多く利用する定型的な機能の利便性をさらに高めることできる。
【００５０】
さらに、本実施の形態において、紐づけ動作情報９２において、１つの載置場所に対して紐づけられた複数の紐づけ動作には、優先順位が設定されており、紐づけ動作実行部７２は、優先順位を紐づけ動作の実行頻度に応じて入れ替える。
この構成により、ユーザーが多く実行して紐づけ動作が優先的に設定されるため、多く利用する定型的な機能の利便性をさらに高めることできる。
【００５１】
なお、本発明が上記各実施の形態に限定されず、本発明の技術思想の範囲内において、各実施の形態は適宜変更され得ることは明らかである。また、上記構成部材の数、位置、形状等は上記実施の形態に限定されず、本発明を実施する上で好適な数、位置、形状等にすることができる。なお、各図において、同一構成要素には同一符号を付している。
【符号の説明】
【００５２】
１  画像形成装置
２  原稿読取部
３  原稿給送部
４  本体部
５  操作部
６  カードリーダー
７  制御部
８  画像処理部
９  記憶部
１０  ファクシミリ部
１１  通信部
１２、１３  ネットワーク
２０  スキャナー
２１  コンタクトガラス
２２  スリットガラス
２３  開閉検知センサー
３１  原稿載置板
３２  原稿搬送機構
３３  原稿排出部
３４  載置検知センサー
４１  給紙部
４２  印刷部
５１  液晶表示部
５２  操作ボタン
７１  ユーザー認証部
７２  紐づけ動作実行部
９１  ユーザー情報
９２  紐づけ動作情報
１００  案内画面
１０１  設定解除キー
【図１】
2019047196.tif 000003
【図２】
2019047196.tif 000004
【図３】
2019047196.tif 000005
【図４】
2019047196.tif 000006
【図５】
2019047196.tif 000007